(57)【要約】【課題】  簡易な操作で開口部を開放させ、不意に被懸吊体との連結が外れることを防ぎ、身体障害者であっても使い勝手のよい吊り具を提供する。【解決手段】  被懸吊体Ｏと連結させる吊り具１であって、被懸吊体Ｏが通される開口部３を有し被懸吊体Ｏと連結されるフック部２と、開口部３を開く開放位置と開口部３を閉じる閉鎖位置との間を往復移動して開口部を開閉させる開閉手段７と、開閉手段７が開放位置に移動すると開口部３が開放状態を維持するように保持される保持手段１８と、フック部２の内側に露出して設けられフック部２と連結された被懸吊体Ｏの荷重を受ける荷重受け部１５とを具備し、荷重受け部１５が被懸吊体Ｏの荷重を受けると保持手段１８による開閉手段７の保持が解除され開閉手段７を閉鎖位置に移動させる。【選択図】    図１
2005343572.tif 000002
【特許請求の範囲】
【請求項１】
被懸吊体を懸吊する吊り具であって、
開口部を有し該被懸吊体と連結されるフック部と、
前記開口部を開く開放位置と該開口部を閉じる閉鎖位置との間を移動して該開口部を開閉する開閉手段と、
前記開閉手段を前記開放位置に保持する保持手段と、
前記フック部の内側に配置され荷重を受けると前記保持手段の保持を解除するように作動する荷重受け部と、を具備し、
前記開閉手段は、少なくとも前記荷重受け部の作動に基づき閉鎖位置に移動して前記開口部を閉じることを特徴とする吊り具。
【請求項２】
更に、一端に前記開閉手段と連動可能に連結される連結端部が形成されるとともに他端に操作端部が形成され、且つ両端間の中心より前記一端側に支点を有し、前記操作端部を回動操作することで前記開閉手段を前記開放位置に移動させる操作部を具備することを特徴とする請求項１記載の吊り具。
【請求項３】
前記保持手段は、磁性体からなる前記開閉手段或いは該開閉手段に設けられた磁性体を磁力で保持して前記開閉手段を開放状態に保持し、
前記荷重受け部は、荷重を受けると前記開閉手段を押動するように移動して前記保持手段の磁力に抗して該開閉手段を閉鎖状態にさせることを特徴とする請求項１又は２記載の吊り具。
【請求項４】
更に、前記開閉手段を前記閉鎖位置へと付勢する第１の付勢手段と、
前記保持手段を前記開放位置にある前記開閉手段と係合する係合位置へと付勢する第２の付勢手段とを有し、
前記保持手段は、前記開放位置にある前記開閉手段と係合する係合位置と該開閉手段との係合が解除される解除位置とに移動可能に支持され、
前記荷重受け部は、荷重を受けると前記保持手段を前記第２の付勢手段の付勢力に抗して前記解除位置に移動させて前記開閉手段と前記保持手段との係合を解除することを特徴とする請求項１又は２記載の吊り具。
【請求項５】
前記保持手段は、前記開閉手段の開放角度に応じて該開閉手段と段階的に係合する係合部を具備することを特徴とする請求項４記載の吊り具。
【発明の詳細な説明】
【技術分野】
【０００１】
本発明は、被懸吊体を懸吊する吊り具に関し、簡易な操作で該被懸吊体との連結を行える吊り具に関する。
【背景技術】
【０００２】
従来より、例えば、被懸吊体である物体をベルトなどの懸吊体と連結させて吊り上げたり移動させたりする場合に、該被懸吊体を吊り下げる吊り具として鉤状の機械部品であるフックなどが用いられている。
【０００３】
上述したような吊り具としてのフックには様々なものがあり、例えば、下記特許文献１に開示されている登山用金具として用いられるカラビナなどもその１つである。図１３に示すように、このカラビナ１００は、開口部１０１を有するＣ字形のボディ１０２の下端部に、断面円形のフィンガー１０３がスピンドル１０４を介して回動自在に支持されて略構成されている。なお、フィンガー１０３はリターンスプリング１０５によって開口部１０１を閉鎖するように付勢されている。このようなカラビナ１００は、フィンガー１０３をリターンスプリング１０５の付勢力に抗して手指にて押えて開口部１０１を開口保持し、その状態のまま物体の輪状部分と連結させるものである。
【特許文献１】特開平７−４７１５０号公報
【特許文献２】特許２００２−６５７６２号公報
【発明の開示】
【発明が解決しようとする課題】
【０００４】
しかしながら、上述したような従来の（上記特許文献１に開示）の吊り具（カラビナ）では、開口部１０１を開放させた状態を維持したまま物体と連結させるため、一方の手で付勢力に抗してフィンガー１０３を押えて開口部１０１を開放保持し、その状態のまま他方の手でこのカラビナ１００と物体の輪状部分とを連結させていた。このように両手を用いて作業を行えば、物体とカラビナ１００とを容易に連結させることができる。ところが、この連結作業を片手のみで行うとなるとそれなりの労力が必要となる。つまり、このカラビナ１００は、片手で扱うには不便なものであった。
【０００５】
また、上述したような吊り具は、福祉機構においても広く利用されている。例えば、上記特許文献２には、吊り具となるカラビナにより身体障害者を連結して搬送する自律型の介護リフターが開示されている。しかしながら、手先や半身などが不自由な身体障害者にとっては、健常者に比べて筋力が弱かったり、指が不自由であったりするため、一方の手で付勢力に抗して開口部１０１を開口保持させるだけでも困難であるのに、更に他方の手でカラビナ１００と物体とを連結させることは容易ではなく身体的に著しく負担がかかっていた。
【０００６】
そこで本発明は、上記状況に鑑みてなされたものであり、簡易な操作で開口部を開放させ、その使用中において不意に被懸吊体との連結が外れることを防ぎ、また、身体障害者であっても使い勝手のよい吊り具を提供することを目的とする。
【課題を解決するための手段】
【０００７】
次に、上記の課題を解決するための手段を、実施の形態に対応する図面を参照して説明する。
本発明の請求項１記載の吊り具は、被懸吊体Ｏを懸吊する吊り具１（３０，４０，６０）であって、
開口部３を有し該被懸吊体Ｏと連結されるフック部２（３１，４１）と、
前記開口部３を開く開放位置と該開口部３を閉じる閉鎖位置との間を移動して該開口部３を開閉する開閉手段７（３２，４５，６１）と、
前記開閉手段７（３２，４５，６１）を前記開放位置に保持する保持手段１８（４９，６４）と、
前記フック部２（３１，４１）の内側に配置され荷重を受けると前記保持手段１８（４９，６４）の保持を解除するように作動する荷重受け部１５（３４，５３，６６）と、を具備し、
前記開閉手段７（３２，４５，６１）は、少なくとも前記荷重受け部１５（３４，５３，６６）の作動に基づき閉鎖位置に移動して前記開口部３を閉じることを特徴とする。
【０００８】
このような構成によれば、開閉手段７（３２，４５，６１）を開放位置に移動させると開口部３の開放状態が保持されるので、使用者は片手でも容易に被懸吊体Ｏと連結させることが可能となる。また、フック部２（３１，４１）に被懸吊体Ｏの荷重がかかることで開口部３が自動的に閉鎖されるため、その使用中において不意に吊り具１（３０，４０，６０）と被懸吊体Ｏとの連結が外れることを防ぐことが可能となる。
【０００９】
請求項２記載の吊り具は、更に、一端に前記開閉手段７と連動可能に連結される連結端部１０が形成されるとともに他端に操作端部２１が形成され、且つ両端間の中心より前記一端側に支点２０を有し、前記操作端部２１を回動操作することで前記開閉手段７を前記開放位置に移動させる操作部１９を具備することを特徴とする。
【００１０】
このような構成によれば、両端間にある支点２０が中心より一端側にあることで、作用点となる操作部１９の操作端部２１と支点２０との距離が長くなり、操作端部２１側に大きなモーメントが生じることとなる。これにより、操作部１９を微小な力で回動操作させることが可能となり、つまり、微小な力で開口部３を開放させることができるようになる。
【００１１】
請求項３記載の吊り具は、前記保持手段１８は、磁性体からなる前記開閉手段７（３２）或いは該開閉手段７（３２）に設けられた磁性体を磁力で保持して前記開閉手段７（３２）を開放状態に保持し、
前記荷重受け部１５（３４）は、荷重を受けると前記開閉手段７（３２）を押動するように移動して前記保持手段１８の磁力に抗して該開閉手段７（３２）を閉鎖状態にさせることを特徴とする。
【００１２】
このような構成によれば、開閉手段７（３２）が開放状態に保持される機構及び閉鎖状態へと移動させる機構を簡素化することが可能となる。
【００１３】
請求項４記載の吊り具は、更に、前記開閉手段４５（６１）を前記閉鎖位置へと付勢する第１の付勢手段３３と、
前記保持手段４９（６４）を前記開放位置にある前記開閉手段４５（６１）と係合する係合位置へと付勢する第２の付勢手段５２とを有し、
前記保持手段４９（６４）は、前記開放位置にある前記開閉手段４５（６１）と係合する係合位置と該開閉手段４５（６１）との係合が解除される解除位置とに移動可能に支持され、
前記荷重受け部５３（６６）は、荷重を受けると前記保持手段４９（６４）を前記第２の付勢手段５２の付勢力に抗して前記解除位置に移動させて前記開閉手段４５（６１）と前記保持手段４９（６４）との係合を解除することを特徴とする。
【００１４】
このような構成によれば、荷重受け部５３（６６）が荷重を受けると、開閉手段４５（６１）と保持手段４９（６４）との係合が解除され、開閉手段４５（６１）は第１の付勢手段３３の付勢力で開口部３を閉鎖するように作動する。これにより、被懸吊体Ｏと吊り具４０（６０）とが連結されると自動的に開口部３が閉鎖されることとなる。したがって、その使用中において不意に被懸吊体Ｏと吊り具４０（６０）との連結が外れることを防ぐことができる。
【００１５】
請求項５記載の吊り具は、前記保持手段４９（６４）は、前記開閉手段４５（６１）の開放角度に応じて該開閉手段４５（６１）と段階的に係合する係合部を具備することを特徴とする。
【００１６】
このような構成によれば、開口部３を段階的に開放させることが可能となる。これにより、開閉手段４５（６１）を徐々に開放させることができるようになる。
【発明の効果】
【００１７】
本発明による吊り具によれば、開閉手段を開放位置に移動させると、保持手段によって開口部の開放状態が保持されるので、使用者は片手でも容易に物体と吊り具とを連結させることができるよになる。また、フック部に被懸吊体を挿通させると、荷重により開口部が自動的に閉鎖される。したがって、その使用中において不意に吊り具と被懸吊体との連結が外れることを防止できる。さらに、この吊り具の使用者が、例えば、手先や半身などが不自由な身体障害者であっても容易に使用することができる。
【００１８】
また、両端間にある支点が中心より一端側（連結端部側）にあることで、作用点となる操作部の操作端部と支点との距離が長くなり、操作端部側に大きなモーメントが生じることとなる。これにより、操作部を微小な力で回動操作させることが可能となり、つまり、微小な力で開口部３を開放させることができるようになる。
【００１９】
さらに、開閉手段が開放状態に保持される機構及び閉鎖状態へと移動させる機構を磁力を用いて簡素化することができる。これにより、この吊り具にかかるコストを低減させることができ、安価に得ることができるようになる。
【００２０】
また、荷重受け部が荷重を受けると、開閉手段と保持手段との係合が解除され、開閉手段は第１の付勢手段の付勢力で開口部を閉鎖するように作動する。これにより、被懸吊体と吊り具とが連結されると自動的に開口部が閉鎖されることとなる。したがって、その使用中において不意に被懸吊体と吊り具との連結が外れることを防ぐことができる。つまり、この吊り具における安全性を向上させることができる。
【００２１】
さらに、開口部が最大開放されていなくても、開閉手段の開放角度に応じて開放状態を保持することが可能となる。これにより、手先が不自由で、開閉手段を最大開放位置まで移動させることが困難な身体障害者などであっても、開口部の開放を保持させて被懸吊体と連結させることができるようになる。
【発明を実施するための最良の形態】
【００２２】
以下、本発明の吊り具を各実施の形態ごとに図面を参照して具体的に説明する。
【００２３】
第１の実施の形態
まず、第１の実施の形態について説明する。
図１は本発明による吊り具の第１の実施の形態を示す正面図、図２は同右側面図、図３（ａ）〜（ｃ）は同実施の形態に被懸吊体を連結させる手順及びそれに基づく各部の動作を示す正面図である。
【００２４】
この第１の実施の形態の吊り具１は、フック部２と、開閉手段としてのフィンガー部７と、荷重受け部１５と、保持手段１８と、操作部１９とで略構成されている。
【００２５】
図１，２に示すように、フック部２は、上下に長い棒体の下方が略鉤状に屈曲形成されてなっている。このフック部２の下端部が長手方向に折り返すように屈曲されていることで開口部３を形成している。また、フック部２の下端部における内縁には爪部４が形成されている。さらに、フック部２の上方には、該フック部２の長手方向Ｌに対してやや傾斜した把手部５が屈曲形成されている。また、このフック部２には、長手方向Ｌにおける略中央及び下方にそれぞれ凸部６ａ，６ｂが突設されている。
【００２６】
図１，２に示すように、開閉手段としてのフィンガー部７は、支点Ａとなる連結ピン８によって前記フック部２の凸部６ｂに回動自在に連結されるとともに、前記開口部３を開閉するように設けられている。なお、図示しないが、フィンガー部７におけるフック部２との連結部分には、凸部６ｂの先端部分が挿通される凹部が形成されている。また、このフィンガー部７の上部には、略矩形ブロック状の連結凸部９が上向きに突設されている。この連結凸部９は、後述する操作部１９の連結端部２２と連結される。そして、フィンガー部７の下部には、係合端部１０が設けられている。この係合端部１０は、図２に示すように、前記フック部２の爪部４が挿通される溝部１１の内部にストッパーピン１２が長手方向と直交する方向Ｙを向けて設けられている。フィンガー部７が開口部３を閉鎖する閉鎖位置にあるときに、ストッパーピン１２と爪部４とは係合している。さらに、フィンガー部７におけるフック部２側の側端部は、支点Ｂとなる連結ピン１３によって略板状のリンク片１４と回動自在に連結されている。ここで、図２に示すように、リンク片１４，１４は左右一対で構成され、フィンガー部７の両側部にて該フィンガー部７とそれぞれ連結されている。また、図１に示すように、フィンガー部７の下部におけるフック部２の内縁を向いた面にはマグネットＭが設けられている。
【００２７】
図１に示すように、荷重受け部１５は、フック部２における屈曲部分の内側となる内縁に露出して設けられるとともに、図２に示すように、左右一対で構成され、フック部２の両側部にて該フック部２を挟んで設けられている。この荷重受け部１５の一端は上述したリンク片１４と支点Ｃとなる連結ピン１６によって連結され、他端はフック部２の下端部と支点Ｄとなる連結ピン１７によって連結されている。
【００２８】
さらに、図１に示すように、荷重受け部１５の内縁にはマグネットＭが設けられており、前記フィンガー部７のマグネットＭと磁力結合し、フィンガー部７が開口部３を開放させる開放位置に移動したときにその開放状態を保持する保持手段１８を構成している。
【００２９】
図１に示すように、前述した操作部１９は、長手方向が上下に長い略矩形の板体からなっている。図２に示すように、操作部１９は、左右一対で構成され、フック部２の凸部６ａに支点Ｅとなる連結ピン２０によって回動自在に連結されている。この連結ピン２０（支点Ａ）は、操作部１９の長手方向における両端間の中心より下端側に設けられている。つまり、連結ピン２０から下端までの距離よりも上端から連結ピン２０までの距離の方が長い構成となっている。また、操作部１９の上端側は操作端部２１となり、さらに、操作部１９の下端には連結端部２２が設けられている。この連結端部２２には、連結凹部２３が開口部分を下方に向けて形成され、上述したようにフィンガー部７の連結凸部９と連動可能に連結されている。
【００３０】
ここから、第１の実施の形態における吊り具１を被懸吊体である物体と連結させる手順及びそれに基づく吊り具１の各部の動作について説明する。
【００３１】
まず、図３（ａ）に示すように、使用者は、フック部２の把手部５と操作部１９の操作端部２１とを手などで握って操作部１９を回動操作する。この操作部１９の回動操作は、実際には操作端部２１を把手部５（フック部２）側へと傾倒させる程度の微小な角度だけ回動させる操作となる。そして、操作部１９の回動に伴い連結端部２２と連結されているフィンガー部７が連動してフック部２側に傾倒する。この結果、フック部２の開口部３が開放される。また、フィンガー部７の傾倒によって、リンク片１４が上方に持ち上がり、このリンク片１４を介して荷重受け部１５が上方に持ち上がる。さらに、フィンガー部７が傾倒して開口部３を開放する開放位置に移動することにより、フィンガー部７と荷重受け部１５とは、保持手段１８となる互いのマグネットＭ，Ｍによって磁力結合するため、該フィンガー部７は開口部３を開放状態にして所定の開放位置に保持される。なお、各部は連結ピン８，１３，１６，１７，２０によってリンクするように結合されているため、各部のここまでの動作は一連の動作として行われる。したがって、使用者は操作部１９を回動操作するだけでよく、さらに、連結ピン２０（支点Ｅ）が操作部１９両端間の中心より下端側に設けられていることにより、この回動操作を微小な力で行うことができる。
【００３２】
次に、図３（ｂ）に示すように、開放状態となっている開口部３からフック部２の内側に被懸吊体である物体Ｏの輪状部分などを挿通させる。このとき、物体Ｏの荷重は下方に向かってかかる。つまり、この物体Ｏの荷重は、フック部２の内縁に露出している荷重受け部１５にかかることとなる。
【００３３】
そして、図３（ｃ）に示すように、荷重受け部１５は、物体Ｏの荷重がかかることによって下降する。この結果、各部は、上述したような操作部１９を回動操作して開口部３を開放させる動作と逆転した動作を始める。つまり、荷重受け部１５の下降に伴い、荷重受け部１５と連結ピン１６とで結合されたリンク片１４が下降する。リンク片１４が下降することにより、リンク片１４と連結ピン１６とで結合されたフィンガー部７が回動して開口部３を閉鎖する閉鎖位置に移動する。このとき、フィンガー部７が移動を始めることで、マグネットＭ，Ｍ（保持手段１８）によるフィンガー部７の保持が解除される。また、フィンガー部７の移動に伴い、連結凸部９と操作部１９の連結凹部２３とが噛合することで、フィンガー部７と連動して傾倒している操作部１９は直立する方向へと回動する。これにより、物体Ｏと吊り具１との連結が完了する。
【００３４】
この第１の実施の形態によれば、フィンガー部７を開放位置に移動させると、マグネットＭ，Ｍによって開口部３の開放状態が保持されるので、使用者は片手でも容易に物体Ｏと吊り具１とを連結させることが可能となる。また、荷重受け部１５に物体Ｏの荷重がかかることで該荷重受け部１５が下降し、それに伴いフィンガー部７が閉鎖位置に移動する。これにより、フック部２に物体Ｏを挿通させると開口部３が自動的に閉鎖される。したがって、その使用中において不意に吊り具１と物体Ｏとの連結が外れることを防止できる。さらに、この吊り具１の使用者が、例えば、手先や半身などが不自由な身体障害者であっても容易に使用することができる。
【００３５】
また、操作部１９の両端間に設けられている連結ピン２０（支点Ｅ）が、中心より下端側に位置していることで、作用点となる操作部１９の操作端部２１と支点Ｅとなる連結ピン２０との距離が長くなる。これにより、操作端部２１のモーメントが増大して操作部１９を微小な力で回動操作することが可能となる。つまり、微小な力で開口部３を開放させることが可能となる。
【００３６】
さらに、マグネットＭ，Ｍ及びリンク機構を用いることで、開口部３が開放される位置にフィンガー部７を保持する機構及び開口部３が閉鎖される位置にフィンガー部７を移動させる機構を簡素に構成することが可能となる。これにより、この吊り具１にかかるコストを低減させることができ、安価に得ることができるようになる。
【００３７】
なお、この第１の実施の形態では、フィンガー部７を開口部３の開放位置に保持する保持手段１８は、該フィンガー部７と荷重受け部１５とのそれぞれに設けられているマグネットＭ，Ｍにて構成されているが、フィンガー部７と荷重受け部１５のいずれか一方又は両方が磁性体にて形成されている構成としてもよい。これにより、上記同様に開口部３の開放状態が保持されるという効果に加え、部品点数を抑えて安価に得ることができるという効果が得られる。
【００３８】
また、この第１の実施の形態では、フィンガー部７と操作部１９との連結構造は、該フィンガー部７の連結凸部９が操作部１９の連結凹部２３と噛合する構成となっているが、フィンガー部７と操作部１９とが連動可能に連結されている構成であれば、これに限定されるものではない。例えば、フィンガー部７と操作部１９との連結部分が歯車によって噛み合っている構成としてもよい。
【００３９】
さらに、この第１の実施の形態を、吊りベルトにて身体障害者を懸吊する介護リフターの吊り具として用いる場合には、例えば、把手部５を介護リフターの吊りベルトに結合させることで容易に適応することができる。
【００４０】
第２の実施の形態
次に、第２の実施の形態について説明する。
図４は本発明による吊り具の第２の実施の形態を示す正面図、図５は同右側面図、図６（ａ）〜（ｃ）は同実施の形態に被懸吊体を連結させる手順及びそれに基づく各部の動作を示す正面図である。
【００４１】
この第２の実施の形態の吊り具３０は、フック部３１と、開閉手段としてのフィンガー部３２と、保持手段１８と、荷重受け部３４とで略構成されている。
なお、以下で説明する第２の実施の形態において、上述した第１の実施の形態と同等或いは同一箇所には同一の符号を付し、その説明を省略する。
【００４２】
図４，５に示すように、フック部３１は、略Ｃ字状に形成され、向い合う両端間に開口部３を形成している。また、フック部３１の一方の端部における内縁には爪部４が形成され、他方の端部には後述するフィンガー部３２が設けられている。さらに、フック部３１のフレーム部分における開口部３と対向する位置には、開口部３側に向けて凸部６ｃが突設されている。この凸部６ｃの内縁側にはマグネットＭが設けられている。
【００４３】
図４，５に示すように、前述した開閉手段としてのフィンガー部３２は、略円柱状に形成され、上端部が支点Ａとなる連結ピン８によって前記フック部３１の他方の端部に回動自在に連結されている。なお、この連結ピン８の軸周りには、付勢手段となるリターンスプリング３３が配設され、フィンガー部３２を開口部３の閉鎖位置へと付勢している。
【００４４】
ここで、図４に示すように、フィンガー部３２の内縁側及び凸部６ｃの内縁側にはマグネットＭが設けられており、フィンガー部３２が開口部３を開放させる位置に移動したときに、フィンガー部３２のマグネットＭと前記フック部３１のマグネットＭとが磁力結合し、該フィンガー部３２を開放位置に保持する保持手段１８を構成している。
【００４５】
図４，５に示すように、荷重受け部３４は、長辺部３５と短辺部３６とを有する略Ｌ字状の板材からなっている。また、荷重受け部３４は、左右一対で構成され、長辺部３５がフック部３１の下部を跨ぐようにして互いの端部同士が連結軸３７，３８によって連結されている。さらに、この荷重受け部３４の屈曲部分は、支点Ｃとなる連結ピン１６によって前記フック部３１の凸部６ｃと回動自在に連結されている。
【００４６】
ここから、第２の実施の形態における吊り具３０を被懸吊体である物体と連結させる手順及びそれに基づく吊り具３０の各部の動作について説明する。
【００４７】
まず、図６（ａ）に示すように、使用者は、手指などでフィンガー部３２を開口部３を開放する開放位置に移動させる。この開放位置に移動したフィンガー部３２とフック部３１とは、保持手段１８となる互いのマグネットＭ，Ｍによって磁力結合するため、該フィンガー部３２は開口部３を開放して保持される。したがって、使用者は、フィンガー部３２を手指などでリターンスプリング３３による付勢力に抗して開放位置に保持しておく必要がなくなる。また、フィンガー部３２を開放位置に移動させるときに、フィンガー部３２が荷重受け部３４の短辺部３６の連結軸３８に当接し、荷重受け部３４が所定位置まで移動する。ここでの所定位置とは、フック部３１の内側に、後述する物体Ｏが挿通されたとき、短辺部３６と一体形成されている長辺部３５が少なくとも物体Ｏの挿通を遮るように傾斜配置されている位置である。
【００４８】
次に、図６（ｂ）に示すように、開放状態となっている開口部３からフック部３１の内側に、前述した被懸吊体である物体Ｏの輪状部分などを挿通させる。このとき、物体Ｏは、自らの荷重によってフック部３１の内側における奥部へと進入する。
【００４９】
そして、図６（ｃ）に示すように、物体Ｏがフック部３１の内側における奥部へと進入することによって、この物体Ｏに押されて荷重受け部３４の長辺部３５が直立する方向へと移動する。この長辺部３５の移動に伴い、短辺部３６が開口部３側へと傾倒する。このとき、短辺部３５の連結軸３８がフィンガー部３２を開口部３側へと押し出し、磁力結合によって開放位置にあるフィンガー部３２の保持が解除される。保持が解除されたフィンガー部３２は、リターンスプリング３３の付勢力によって開口部３を閉鎖する閉鎖位置に移動する。これにより、物体Ｏと吊り具３０との連結が完了する。
【００５０】
この第２の実施の形態によれば、フィンガー部３２を開放位置に移動させると、マグネットＭ，Ｍによって開口部３の開放状態が保持されるので、使用者は片手でも容易に物体Ｏと吊り具３０とを連結させることが可能となる。また、物体Ｏがフック部３１の内縁に沿って自らの荷重により奥部に進入することで、荷重受け部３４の長辺部３５が押されて、それに伴い短辺部３６が開口部３側へと傾倒してフィンガー部３２を押し出す。これにより、マグネットＭ，Ｍ（保持手段１８）によるフィンガー部３２の保持が解除され、更にリターンスプリング３３による開口部３側への付勢力によって該フィンガー部３２は閉鎖位置に移動する。つまり、フック部３１に物体Ｏを挿通させると開口部３が自動的に閉鎖される。したがって、その使用中において不意に吊り具３０と物体Ｏとの連結が外れることを防止できる。さらに、この吊り具３０の使用者が、例えば、手先や半身などが不自由な身体障害者であっても容易に使用することができる。
【００５１】
また、開口部３が開放される位置にフィンガー部３２を保持する機構及び開口部３が閉鎖される位置にフィンガー部３２を移動させる機構をマグネットＭ，Ｍを用いて簡素に構成することが可能となる。これにより、この吊り具３０にかかるコストを低減させることができ、安価に得ることができるようになる。
【００５２】
なお、この第２の実施の形態を、介護リフターの吊り具として用いる場合には、例えば、フック部３１の上端部を介護リフターの吊りベルトに結合させることにより容易に適応することができる。
【００５３】
第３の実施の形態
次に、第３の実施の形態について説明する。
図７は本発明による吊り具の第３の実施の形態を示す正面図、図８は同右側面図、図９（ａ）〜（ｄ）は同実施の形態に被懸吊体を連結させる手順及びそれに基づく各部の動作を示す正面図である。
【００５４】
この第３の実施の形態の吊り具４０は、フック部４１と、開閉手段としてのフィンガー部４５と、荷重受け部５３と、保持手段４９とで略構成されている。
なお、以下で説明する第３の実施の形態において、上述した第１及び第２の実施の形態と同等或いは同一箇所には同一の符号を付し、その説明を省略する。
【００５５】
図７，８に示すように、フック部４１のフレーム部分における開口部３と対向する位置には、該フック部４１の外側に突出して略矩形ブロック状の固定体４３が設けられている。この固定体４３は、長手方向と直交する方向Ｙに挿通されるボルト４４によってフック部４１に固着されている。
【００５６】
図７に示すように、開閉手段としてのフィンガー部４５は、上端部が支点Ａとなる連結ピン８によって前記フック部４１の他方端部に回動自在に連結されている。なお、この連結ピン８の軸周りには、第１の付勢手段となるリターンスプリング３３が配設され、フィンガー部４５を開口部３の閉鎖位置へと付勢している。また、フィンガー部４５には、該フィンガー部４５から前記フック部４１の開口部３と対向するフレーム部分にかけて連結部材４６が延設されている。図８に示すように、この連結部材４６は、略板状に形成され、フック部４１を挟んで左右一対で構成されている。なお、フィンガー部４５の外周縁には、略矩形のブロック体４７が設けられており、このブロック体４６の直交方向Ｙにおける左右の側面に連結部材４６の基端側が、例えば、ボルトなどによって固着されている。また、連結部材４６は、基端側から先端側に向かうにつれて徐々に細くなるように形成されている。さらに、図７に示すように、連結部材４６の先端には係合ピン４８が設けられ、先端側において左右の連結部材４６，４６を連結している。また、この係合ピン４８は、後述する保持手段としてのラチェット部４９と係合される。
【００５７】
図７に示すように、前述した保持手段としてのラチェット部４９は、前記フック部４１の外側に設けられている。図８に示すように、このラチェット部４９は、略板状に形成されるとともに、フック部４１を挟んで左右一対で構成されている。また、ラチェット部４９の内面には、ラチェット５０が上下方向に並んで形成されている。さらに、ラチェット部４９の外側部には、略矩形板状の側壁５１が左右のラチェット部４９を連結するように設けられている。そして、ラチェット部４９の下方には、該ラチェット部４９から連続して後述する荷重受け部５３がラチェット部４９と一体形成されている。なお、このラチェット部４９は、支点Ｃとなる連結ピン１６によって前記固定体４３に回動自在に連結されている。また、この連結ピン１６の軸周りには、一端が側壁５１と当接し、他端が固定体４３のボルト４４と当接して、ラチェット部４９を外向き（図７中左方向）に付勢させている第２の付勢手段としてのバネ５２が設けられている。
【００５８】
図７，８に示すように、前述した荷重受け部５３は、前記ラチェット部４９の下方に該ラチェット部４９と一体的に設けられている。さらに、荷重受け部５３は、左右一対で構成され、前記フック部の下部を跨ぐようにして下端部が連結軸３７によって連結されている。
【００５９】
ここから、第３の実施の形態における吊り具４０を被懸吊体である物体Ｏと連結させる手順及びそれに基づく吊り具４０の各部の動作について説明する。
【００６０】
まず、図９（ａ）に示すように、使用者は、手指などでフィンガー部４５を開口部３の開放位置まで移動させる。このとき、フィンガー部４５を傾倒させると、このフィンガー部４５に固着された連結部材４６の先端側となる係合ピン４８が上方に移動し、それに伴いラチェット部４９が、連結ピン１６を支点として回動する。更にバネ５２によって該ラチェット部４９が外向きに付勢されていることから、係合ピン４８が上方に移動することでラチェット部４９は微小な角度の回動（往復）動作を始める。そして、上方に移動している係合ピン４８は段階的にラチェット５０と係合する。つまり、フィンガー部４５は、段階的に開口部３を開放させる。
【００６１】
次に、図９（ｂ）に示すように、フィンガー部４５の係合ピン４８が、ラチェット部４９のラチェット５０の最上段に到達すると、該フィンガー部４５は開口部３の開放状態が最大となる開放位置に保持される。このとき、荷重受け部５３の長辺部３５は、フック部４１の下方において、少なくとも後述する物体Ｏの挿通を遮るように傾斜配置されている。
【００６２】
次に、図９（ｃ）に示すように、開放状態となっている開口部３からフック部４１の内側に、前述した被懸吊体である物体Ｏの輪状部分などを挿通させる。このとき、物体Ｏは、自らの荷重によってフック部４１の内側における奥部へと進入する。
【００６３】
そして、図９（ｄ）に示すように、物体Ｏがフック部４１の内側における奥部へと進入することによって、この物体Ｏに押されて荷重受け部５３の長辺部３５が直立する方向へと移動する。荷重受け部５３が移動することにより、ラチェット部４９はバネ５２の付勢力に抗して、連結ピン１６を支点とし、フック部４１側に回動する。これにより、係合ピン４８とラチェット５０との係合によって開放位置にあるフィンガー部４５の保持が解除される。保持が解除されたフィンガー部４５は、リターンスプリング３３の付勢力によって閉鎖位置に移動する。これにより、物体Ｏと吊り具４０との連結が完了する。
【００６４】
この第３の実施の形態によれば、フィンガー部４５の係合ピン４８がラチェット部４９のラチェット５０と係合することで、開口部３の開放状態を保持することができる。これにより、使用者は片手でも容易に物体Ｏと吊り具４０とを連結できるようになる。また、物体Ｏがフック部４１の内縁に沿って自らの荷重により奥部に進入することで、荷重受け部５３の長辺部３５が押される。それに伴いラチェット部４９が回動（傾倒）して係合ピン４８とラチェット５０との係合保持が解除され、更にリターンスプリング３３による開口部３側への付勢力によってフィンガー部４５は閉鎖位置に移動する。つまり、フック部４１に物体Ｏを挿通させると、その荷重により開口部３が自動的に閉鎖されることとなる。したがって、その使用中において不意に吊り具４０と物体Ｏとの連結が外れることを防止できる。さらに、この吊り具４０の使用者が、例えば、手先や半身などが不自由な身体障害者であっても容易に使用することができる。
【００６５】
また、フィンガー部４５の係合ピン４８がラチェット部４９のラチェット５０と係合することで、フィンガー部４５を最大開放位置に移動させるまでに段階的に開口部３の開放状態を保持することができる。これにより、使用者は、徐々に開口部３を開放させることができ、例えば、手先が不自由で開口部３を全開することが困難な場合であっても、中途位置で開口保持されることにより吊り具４０を容易に使用することができる。
【００６６】
なお、第３の実施の形態を、介護リフターの吊り具として用いる場合には、例えば、フック部４１の上端部を介護リフターの吊りベルトに結合させることにより容易に適応することができる。
【００６７】
第４の実施の形態
次に、第４の実施の形態について説明する。
図１０は本発明による吊り具の第４の実施の形態を示す正面図、図１１は同右側面図、図１２（ａ）〜（ｄ）は同実施の形態に被懸吊体を連結させる手順及びそれに基づく各部の動作を示す正面図である。
【００６８】
この第４の実施の形態の吊り具６０は、フック部４１と、開閉手段としてのフィンガー部６１と、保持手段６４と、荷重受け部６６とで略構成されている。
なお、以下で説明する第４の実施の形態において、上述した第１，第２及び第３の実施の形態と同等或いは同一箇所には同一の符号を付し、その説明を省略する。
【００６９】
図１０に示すように、開閉手段としてのフィンガー部６１は、支点Ａとなる連結ピン８によってフック部４１の他方端部に回動自在に連結されている。連結ピン８の軸周りには、第１の付勢手段となるリターンスプリング３３が配設され、フィンガー部６１を開口部３の閉鎖位置へと付勢している。また、フィンガー部６１には、該フィンガー部６１からフック部４１の開口部３と対向するフレーム部分にかけて連結ラチェット部６２が延設されている。図１１に示すように、この連結ラチェット部６２は、略板状に形成され、フック部４１を挟んで左右一対で構成されている。さらに、連結ラチェット部６２の先端側には、ラチェット６３が上下方向に並んで形成されている。このラチェット６３は、後述する保持手段としての可動片６４の係合ピン６５と係合される。
【００７０】
図１０に示すように、前述した可動片６４は、略三角板状に形成され、図１１に示すように、フック部４１を挟んで左右一対で構成されている。この可動片６４の上端部には係合ピン６５が設けられ、下端部は支点Ｃとなる連結ピン１６によって固定体４３と回動自在に連結されている。なお、固定体４３は、上述した第３の実施の形態と同様に、フック部４１に固着されている。また、可動片６４は、第２の付勢手段となるバネ５２によって内向き（図１０中右方向）に付勢されている。
【００７１】
図１０，１１に示すように、荷重受け部６６は、前記可動片６４の下方に設けられている。荷重受け部６６の上端には、外側に突出している角部６７が設けられている。また、この荷重受け部６６の上端は固定体４３に支点Ｂとなる連結ピン１３によって連結されている。なお、連結ピン１６と連結ピン１３とは偏心させて設けられている。
【００７２】
ここから、第４の実施の形態における吊り具６０を被懸吊体である物体Ｏと連結させる手順及びそれに基づく吊り具６０の各部の動作について説明する。
【００７３】
まず、図１２（ａ）に示すように、使用者は、手指などでフィンガー部６１を開口部３の開放位置まで移動させる。このとき、フィンガー部６１を傾倒させると、フィンガー部６１に延設された連結ラチェット部６２のラチェット６３が上方に移動する。それに伴いラチェット６３の傾斜に沿って係合ピン６５が移動し、可動片６４が連結ピン１６を支点として回動する。更にバネ５２によって該可動片６４が内向きに付勢されていることからラチェット６３が上方に移動することで、可動片６４は微小な角度の回動（往復）動作をする。そして、フィンガー部６１は、連結ラチェット部６２のラチェット６３が上方に移動することによって、係合ピン６５と段階的に係合保持される。つまり、フィンガー部６１は、段階的に開口部３を開放させる。
【００７４】
次に、図１２（ｂ）に示すように、可動片６４の係合ピン６５がフィンガー部６１のラチェット６３の最下端が可動片６４の係合ピン６５と係合する位置に到達すると、該フィンガー部６１は開口部３の開放状態が最大となる開放位置に保持される。このとき、荷重受け部６６の長辺部３５は、フック部６１の下方において、少なくとも後述する物体Ｏの挿通を遮るように傾斜配置されている。
【００７５】
次に、図１２（ｃ）に示すように、開放状態となっている開口部３からフック部６１の内側に、前述した被懸吊体である物体Ｏの輪状部分などを挿通させる。このとき、物体Ｏは、自らの荷重によってフック部６１の内側における奥部へと進入する。
【００７６】
そして、図１２（ｄ）に示すように、物体Ｏがフック部６１の内側における奥部へと進入することによって、この物体Ｏに押されて荷重受け部６６の長辺部３５が直立する方向へと移動する。そして、荷重受け部６６は連結ピン１３を支点に回動し、該荷重受け部６６の上端にある角部６７が上方に突出する。さらに、上方に突出した角部６７は可動片６４に当接して、該可動片６４がバネ５２の付勢力に抗して外側に傾倒される。これにより、フィンガー部６１のラチェット６３と可動片６４の係合ピン６５との係合保持が解除される。保持が解除されたフィンガー部６１は、リターンスプリング３３によって閉鎖位置に移動する。これにより、物体Ｏと吊り具６０との連結が完了する。
【００７７】
この第４の実施の形態によれば、フィンガー部６１のラチェット６３が可動片６４の係合ピン６５と係合することで、開口部３の開放状態を保持することができる。これにより、使用者は片手でも容易に物体Ｏと吊り具６０とを連結できるようになる。また、フック部４１に物体Ｏを挿通させると、その荷重によって開口部３が自動的に閉鎖されることとなる。したがって、その使用中において不意に吊り具６０と物体Ｏとの連結が外れることを防止できる。さらに、この吊り具６０の使用者が、例えば、手先や半身などが不自由な身体障害者であっても容易に使用することができる。
【００７８】
また、フィンガー部６１のラチェット６３が可動片６４の係合ピン６５と係合することで、フィンガー部６１を最大開放位置に移動させるまでに段階的に開口部３の開放状態を保持することができる。これにより、使用者は、徐々に開口部３を開放させることができ、開口途中でも開口保持することが可能となるため、例えば、手先が不自由な利用者であっても吊り具６０を容易に使用することができる。
【００７９】
なお、第４の実施の形態を、介護リフターの吊り具として用いる場合には、例えば、フック部４１の上端部を介護リフターの吊りベルトに結合させることにより容易に適応することができる。
【図面の簡単な説明】
【００８０】
【図１】本発明の吊り具の第１の実施の形態を示す正面図である。
【図２】同右側面図である。
【図３】（ａ）〜（ｃ）同実施の形態に被懸吊体を連結させる手順及びそれに基づく各部の動作を示す正面図である。
【図４】本発明の吊り具の第２の実施の形態を示す正面図である。
【図５】同右側面図である。
【図６】（ａ）〜（ｃ）同実施の形態に被懸吊体を連結させる手順及びそれに基づく各部の動作を示す正面図である。
【図７】本発明の吊り具の第３の実施の形態を示す正面図である。
【図８】同右側面図である。
【図９】（ａ）〜（ｄ）同実施の形態に被懸吊体を連結させる手順及びそれに基づく各部の動作を示す正面図である。
【図１０】本発明の吊り具の第４の実施の形態を示す正面図である。
【図１１】同右側面図である。
【図１２】（ａ）〜（ｄ）同実施の形態に被懸吊体を連結させる手順及びそれに基づく各部の動作を示す正面図である。
【図１３】従来の吊り具（カラビナ）示す正面図である。
【符号の説明】
【００８１】
１，３０，４０，６０…吊り具
２，３１，４１…フック部
３…開口部
７，３２，４５，６１…開閉手段
１０…連結端部
１５，３４，５３，６６…荷重受け部
１８，４９，６４…保持手段
１９…操作部
２０…支点
２１…操作端部
３３…第１の付勢手段
５２…第２の付勢手段
【図１】
2005343572.tif 000003
【図２】
2005343572.tif 000004
【図３】
2005343572.tif 000005
【図４】
2005343572.tif 000006
【図５】
2005343572.tif 000007
【図６】
2005343572.tif 000008
【図７】
2005343572.tif 000009
【図８】
2005343572.tif 000010
【図９】
2005343572.tif 000011
【図１０】
2005343572.tif 000012
【図１１】
2005343572.tif 000013
【図１２】
2005343572.tif 000014
【図１３】
2005343572.tif 000015